(57)【要約】【課題】  ランプユニットから発せられた熱によるケースの変質を防止することが出来るプロジェクタ装置を提供する。【解決手段】  本発明に係る液晶プロジェクタ装置は、ランプユニット４と、ランプユニット４を冷却する冷却ファン42を具えた冷却装置とが配備され、前記ランプユニット４は、ランプと、リフレクタとを具えて、合成樹脂製のケース７の内部に収容されており、該ケース７は、リフレクタの背面を包囲する複数の側壁を具え、第１の側壁174に前記冷却装置が取り付けられている。ケース７の第１の側壁174には、リフレクタの中心軸を含み且つ第１の側壁174と直交する平面を挟んで両側に、冷却装置から吐出される空気をケース７内に導入するための２つの空気取り込み孔44a、44bが開設され、両取り込み孔44a、44bの間に遮風壁44cが形成されている。【選択図】      図２３
2007025402.tif 000002
【特許請求の範囲】
【請求項１】
ケーシング(１)の内部に、ランプユニット(４)と、該ランプユニット(４)を冷却する冷却ファン(42)を具えた冷却装置と、前記ランプユニット(４)を光源としてカラー映像光を生成する光学装置とが配備され、前記ランプユニット(４)は、ランプ(41)と、該ランプ(41)から発せられる光を前記光学装置へ向けて反射する放物面状の反射面を有するリフレクタ(46)とを具えて、合成樹脂製のケース(７)の内部に収容されており、該ケース(７)は、前記リフレクタ(46)の背面を包囲する複数の側壁(174)(176)(177)(178)を具え、第１の側壁(174)に前記冷却装置が取り付けられているプロジェクタ装置において、
前記ケース(７)の第１の側壁(174)には、前記リフレクタ(46)の中心軸を含み且つ該側壁(174)と直交する平面を挟んで両側に、前記冷却装置から吐出される空気をケース(７)内に導入するための２つの空気取り込み孔(44a)(44b)が開設され、両取り込み孔(44a)(44b)の間に遮風壁(44c)が形成されていることを特徴とするプロジェクタ装置。
【請求項２】
前記ランプユニット(４)には、前記ケース(７)の第１の側壁(174)に対向して、前記冷却装置から吐出された空気をリフレクタ(46)の内側に導入するための空気導入孔(141)(49a)が開設されている請求項１に記載のプロジェクタ装置。
【発明の詳細な説明】
【技術分野】
【０００１】
本発明は、光源からの光を光学装置に導いて映像光を生成し、前方のスクリーンへ拡大投射するプロジェクタ装置に関するものである。
【背景技術】
【０００２】
従来、この種のプロジェクタ装置は、ケーシングの内部に、光源となるランプユニットと、偏光ビームスプリッタ、偏光板、液晶パネル、投射レンズ等から構成される光学装置とを配備して構成される。
従来のプロジェクタ装置において、ランプユニットは、ランプと、ランプから発せられる光を前記光学装置へ向けて反射するリフレクタとを具え、合成樹脂製のケースの内部に収容されている。該ケースには、光漏れを防止すべくランプユニットを包囲する複数の側壁が設けられ、該複数の側壁の内、第１の側壁にランプユニットを冷却するための冷却ファンが取り付けられている(特許文献１参照)。
【特許文献１】特開２００３−３３７３８０号公報  [G03B 21/16]
【発明の開示】
【発明が解決しようとする課題】
【０００３】
従来のプロジェクタ装置において、冷却ファンが取り付けられたケースの側壁には、冷却ファンから吐出された空気をリフレクタの内側に導入するための第１送風口と、リフレクタの背面側に導入するための第２送風口とが設けられ、該第１送風口及び第２送風口から空気を送り込むことにより、ランプユニットを冷却していた。
しかしながら、従来の液晶プロジェクタ装置において、十分な風量を与えているにも拘わらず、ランプユニットから発せられる熱によって、冷却ファンが取り付けられたケースの第１の側壁とは直交する第２及び第３の側壁が、ランプユニットから発せられる熱によって変質して劣化する問題があった。
【０００４】
そこで本発明の目的は、ランプユニットを収容するケースの劣化を効果的に防止することが出来るプロジェクタ装置を提供することである。
【課題を解決するための手段】
【０００５】
本発明のプロジェクタ装置は、ケーシング(１)の内部に、ランプユニット(４)と、該ランプユニット(４)を冷却する冷却ファン(42)を具えた冷却装置と、前記ランプユニット(４)を光源としてカラー映像光を生成する光学装置とが配備され、前記ランプユニット(４)は、ランプ(41)と、該ランプ(41)から発せられる光を前記光学装置へ向けて反射する放物面状の反射面を有するリフレクタ(46)とを具えて、合成樹脂製のケース(７)の内部に収容されており、該ケース(７)は、前記リフレクタ(46)の背面を包囲する複数の側壁を具え、第１の側壁(174)に前記冷却装置が取り付けられている。
前記ケース(７)の第１の側壁(174)には、前記リフレクタ(46)の中心軸を含み且つ該側壁(174)と直交する平面を挟んで両側に、前記冷却装置から吐出される空気をケース(７)内に導入するための２つの空気取り込み孔(44a)(44b)が開設され、両取り込み孔(44a)(44b)の間に遮風壁(44c)が形成されている。
【０００６】
上記本発明のプロジェクタ装置において、冷却装置から吐出された空気は、２つの空気取り込み孔(44a)(44b)を通じてケース(７)の内部へ導入される。２つの空気取り込み孔(44a)(44b)は、リフレクタ(46)の中心軸を含み且つ冷却装置が取り付けられたケース(７)の第１の側壁(174)と直交する平面を挟んで両側に開設されると共に、両取り込み孔(44a)(44b)の間には遮風壁(44c)が形成されているので、冷却装置から吐出された空気は、前記平面の両側に強制的に分流されることになる。
これによって、冷却装置から吐出された空気は、リフレクタ(46)の背面と前記ケース(７)の第１の側壁(174)とは直交する第２の側壁との間、及びリフレクタ(46)の背面と第２の側壁に対向する第３の側壁との間を流れることになる。更に、遮風壁(44c)が設けられていない従来のプロジェクタ装置に比べて、２つの空気取り込み孔(44a)(44b)の開口面積が小さくなるので、空気取り込み孔(44a)(44b)を通過する空気の流速が大きくなる。これにより、リフレクタ(46)の背面の内、の第２及び第３の側壁に近接する領域を集中的に冷却することが出来、この結果、第２及び第３の側壁の温度上昇を抑制することが出来る。
【０００７】
従って、上記本発明のプロジェクタ装置によれば、ランプユニット(４)から発せられる熱によるケース(７)の温度上昇が従来よりも抑制され、この結果、ランプユニット(４)から発せられる熱によるケース(７)の劣化が防止される。
【０００８】
具体的構成において、前記ランプユニット(４)には、前記ケース(７)の第１の側壁(174)に対向して、前記冷却装置から吐出された空気をリフレクタ(46)の内側に導入するための空気導入孔(141)(49a)が開設されている。
【０００９】
該具体的構成において、リフレクタ(46)は、前記２つの空気取り込み孔(44a)(44b)から導入された空気によって背面側から冷却されるばかりでなく、空気導入孔(141)(49a)から導入された空気によって内側からも冷却されるので、リフレクタ(46)の温度を更に低下させることが出来る。
【発明の効果】
【００１０】
本発明に係るプロジェクタ装置によれば、ランプユニットを収容するケースの劣化を防止することが出来る。
【発明を実施するための最良の形態】
【００１１】
以下、本発明を液晶プロジェクタ装置に実施した形態につき、図面に沿って具体的に説明する。
尚、以下の説明においては、図１に示す液晶プロジェクタ装置の映像投射方向を前方とし、該液晶プロジェクタ装置の前面に向かって左右を規定する。
全体構成
本発明に係る液晶プロジェクタ装置は、図１に示す如く下半ケース(12)及び上半ケース(11)からなる扁平なケーシング(１)を具え、該ケーシング(１)の表面には、複数の操作ボタンからなる操作部(15)が配備されると共に、ケーシング(１)の前面には、投射窓(13)が開設されている。又、ケーシング(１)の右側壁には、ケーシング(１)内の空気を外部に排出するための排気孔(14)が開設されている。
【００１２】
図２及び図３に示す如く、ケーシング(１)の内部には、略Ｌ字状に伸びる合成樹脂製の光学系保持ケース(７)が配備されており、該光学系保持ケース(７)の内部には、光源となるランプユニット(４)と、該ランプユニット(４)から発せられる白色光を３原色の光に分離する光学系(２)(図５参照)と、該３原色の光を３原色用の液晶パネルに照射して３原色の映像光を生成し、生成した３原色の映像光をカラー映像光に合成する映像合成装置(３)とが配備されている。ランプユニット(４)は光学系保持ケース(７)の右端部に収容されると共に、映像合成装置(３)は光学系保持ケース(７)の前方の端部に収容され、光学系(２)は、ランプユニット(４)から映像合成装置(３)に至る光学系保持ケース(７)内の光路上に配備されている。
又、光学系保持ケース(７)の前方端縁には、投射レンズ(39)を保持する筒体(39a)の基端部が連結されている。更に、ケーシング(１)の内部には、光学系保持ケース(７)の前方側に電源装置(９)が設置されている。
【００１３】
図２に示す如く下半ケース(12)の右側壁には、第１排気ファン(61)及び第２排気ファン(62)からなる排気装置(６)が取り付けられている。第１排気ファン(61)は、その吸気方向をランプユニット(４)に向けて設置されると共に、第２排気ファン(62)は、その吸気方向を電源装置(９)に向けて設置されている。
【００１４】
図４に示す如く、映像合成装置(３)の下方位置には、映像合成装置(３)を冷却するための冷却ユニット(５)が配備されている。該冷却ユニット(５)は、第１ファン(52)と第２ファン(53)とを具え、該第１ファン(52)及び第２ファン(53)を設置すべき下半ケース(12)の底壁には、それぞれ底面吸気窓(図示省略)が開設されている。両冷却ファン(52)(53)からの空気は、冷却ユニット(５)のハウジング(54)内に形成された流路を通じて映像合成装置(３)に吹き付けられることになる。
以下、本発明の液晶プロジェクタ装置の各部構成について詳細に説明する。
【００１５】
光学系(２)
図５に示す如く、ランプユニット(４)からの白色光は、第１インテグレータレンズ(21)、前段スリット板(23)、第２インテグレータレンズ(22)、後段スリット板(24)、偏光ビームスプリッタ(25)及びフィールドレンズ(20)を経て、第１ダイクロイックミラー(26)に導かれる。
第１インテグレータレンズ(21)及び第２インテグレータレンズ(22)は、耐熱ガラス製のフライアイレンズから構成され、ランプユニット(４)から発せられる白色光の照度分布を均一化する機能を有している。又、前段スリット板(23)及び後段スリット板(24)は、アルミニウム薄板から構成され、偏光ビームスプリッタ(25)に対する不要な入射光を遮断する機能を有している。
【００１６】
図６に示す如く、偏光ビームスプリッタ(25)は、偏光板(25a)の光出射側の表面にスリット状の２分の１波長板(25b)を接合して構成される。又、偏光板(25a)の光入射側の表面には、後段スリット板(24)が密着して取り付けられている。
偏光板(25a)の内部には、偏光板(25a)に入射した光のＰ波を通過させると共にＳ波を反射する第１界面(125)と、第１界面(125)にて反射されたＳ波を前方に向けて反射する第２界面(126)とが、偏光板(25a)の表面に対して４５度の傾斜角度で交互に形成されている。後段スリット板(24)の各スリット(24a)は、各第１界面(125)への光の入射を許容する位置に開設されており、後段スリット板(24)によって、第２界面(126)への光の入射は阻止されることになる。
【００１７】
第１界面(125)に入射した光の内、Ｐ波は、第１界面(125)を通過して２分の１波長板(25b)に至る。該Ｐ波は更に２分の１波長板(25b)を通過することによって位相が反転され、Ｓ波となって出射される。一方、第１界面(125)で反射されたＳ波は第２界面(126)に至り、該第２界面(126)で反射されて、２分の１波長板(25b)の各スリット(25c)から出射される。従って、偏光ビームスプリッタ(25)からはＳ波のみが出射されることになる。
【００１８】
図５に示す如く、偏光ビームスプリッタ(25)を通過した光は、フィールドレンズ(20)を経て、第１ダイクロイックミラー(26)に至る。第１ダイクロイックミラー(26)は、光の青色成分のみを反射すると共に、赤色及び緑色成分を通過させる機能を有し、第２ダイクロイックミラー(27)は、光の緑色成分を反射すると共に、赤色成分を通過させる機能を有し、フィールドミラー(28)は、光の緑色成分を反射する機能を有している。従って、ランプユニット(４)から発せられた白色光は、第１及び第２ダイクロイックミラー(26)(27)によって、青色光、緑色光及び赤色光に分光され、映像合成装置(３)に導かれることになる。
【００１９】
従来の液晶プロジェクタ装置の光学系は、図２に示す本発明の液晶プロジェクタ装置の光学系(２)を構成する前段スリット板(23)を具えていなかった。
図６は本発明の偏光ビームスプリッタ(25)の構成を示す図であるが、従来の液晶プロジェクタ装置の偏光ビームスプリッタ(25)も同様の構成を有しているので、同図を参照して、従来の液晶プロジェクタ装置について説明する。
偏光ビームスプリッタ(25)の第２界面(126)に光が入射すると、偏光ビームスプリッタ(25)の偏光機能が充分に発揮されなくなるため、偏光ビームスプリッタ(25)の第１界面(25)と後段スリット板(24)の各スリット(24a)との相対位置精度を維持すべく、後段スリット板(24)は、偏光ビームスプリッタ(25)の光入射側の表面に接触させて、或いは該表面に近接した位置に設置されている。
【００２０】
ところで、偏光ビームスプリッタ(25)は、限界温度を超えると偏光機能が著しく低下するため、限界温度を超えない範囲で使用する必要があるが、後段スリット板(24)は、偏光ビームスプリッタ(25)の光入射側の表面に接触し、或いは該表面に近接した位置に設置されているため、ランプユニット(４)からの光を受けて高温となった後段スリット板(24)から偏光ビームスプリッタ(25)へ熱が伝達されて、偏光ビームスプリッタ(25)が高温となってしまう問題があった。
【００２１】
これに対し、本発明の液晶プロジェクタ装置において、光学系(２)の光路上には、図７に示す如く、後段スリット板(24)からランプユニット(４)側へ離間した位置に、前段スリット板(23)が配備されており、前段スリット板(23)には、後段スリット板(24)の各スリット(24a)と光軸方向に互い重なる複数箇所に複数のスリット(23a)が開設されているため、偏光ビームスプリッタ(25)に対する不要な入射光の大部分は、前段スリット板(23)にて遮断されることになる。これによって、後段スリット板(24)が受ける不要光の量が従来よりも少なくなり、この結果、後段スリット板(24)が限界温度を超えて高温となることが防止される。
【００２２】
前段スリット板(23)は、ランプユニット(４)からの光を受けて高温となるが、前段スリット板(23)は、偏光ビームスプリッタ(25)から離間した位置に設置されているばかりでなく、前段スリット板(23)と偏光ビームスプリッタ(25)の間には、熱伝導率の低い耐熱ガラス製の第２インテグレータレンズ(22)が介在しているので、前段スリット板(23)から偏光ビームスプリッタ(25)へ伝達される熱量は僅かなものとなる。
従って、本発明の液晶プロジェクタ装置の光学系(２)によれば、偏光ビームスプリッタ(25)の温度上昇を最小限に抑制することが出来、この結果、偏光ビームスプリッタ(25)が限界温度を超えて高温となることはない。
【００２３】
映像合成装置(３)
図８及び図９に示す如く、映像合成装置(３)は、立方体状の色合成プリズム(31)の３つの側面にそれぞれ、青色用液晶パネル(33b)、緑色用液晶パネル(33g)及び赤色用液晶パネル(33r)を取り付けて構成される。
図８に示す如く、映像合成装置(３)は、光学系保持ケース(７)の蓋体(７a)に開設された開口(172)を通じて、該光学系保持ケース(７)内に収容されている。
図２に示す如く、３枚の液晶パネル(33b)(33g)(33r)の光入射側にはそれぞれ、入射偏光板ホルダ(36b)(36g)(36r)が取り付けられており、入射偏光板ホルダ(36b)(36g)(36r)には、後述する３枚の入射偏光板(32b)(32g)(32r)が保持されている。
【００２４】
図５に示す第１ダイクロイックミラー(26)及びフィールドミラー(29a)によって反射された青色光は、フィールドレンズ(35b)に導かれ、フィールドレンズ(35b)、青色入射偏光板(32b)、青色用液晶パネル(33b)及び青色出射偏光板(34b)を経て、色合成プリズム(31)へ至る。
又、第２ダイクロイックミラー(27)によって反射された緑色光は、フィールドレンズ(35g)に導かれ、フィールドレンズ(35g)、緑色入射偏光板(32g)、緑色用液晶パネル(33g)及び緑色出射偏光板(34g)を経て、色合成プリズム(31)へ至る。
同様に、２枚のフィールドミラー(28)(29b)によって反射された赤色光は、映像合成装置(３)のフィールドレンズ(35r)に導かれ、フィールドレンズ(35r)、赤色入射偏光板(32r)、赤色用液晶パネル(33r)及び赤色出射偏光板(34r)を経て、色合成プリズム(31)へ至る。
【００２５】
色合成プリズム(31)に導かれた３色の映像光は、色合成プリズム(31)により合成され、これによって得られるカラー映像光が、投射レンズ(39)を経て前方のスクリーンへ拡大投射されることになる。
【００２６】
青色入射偏光板(32b)、緑色入射偏光板(32g)及び赤色入射偏光板(32r)はそれぞれ、図１０に示す如く、サファイアガラス製のガラス基材(32a)の表面に合成樹脂製の偏光フィルム(32c)を接合して構成される。各入射偏光板(32b)(32g)(32r)は光を受けて発熱することになるが、偏光フィルム(32c)の温度が限界温度を超えると、偏光機能が著しく低下するため、図８及び図９に示す冷却装置(５)によって外気を吹き付けることにより、各入射偏光板(32b)(32g)(32r)を冷却している。
しかしながら、従来の液晶プロジェクタ装置において偏光フィルム(32c)の温度が限界温度を超えない様にするためには、冷却装置(５)の冷却ファンを高速で回転させる必要があり、この結果、冷却装置(５)から発生する騒音が増大する問題があった。
【００２７】
そこで、ガラス基材(32a)の面積、即ち放熱面積を拡大することによって各入射偏光板(32b)(32g)(32r)の温度の低下を図るべく、偏光フィルム(32c)の面積を一定とし、ガラス基材(32a)の面積が異なる複数種類の緑色入射偏光板(32g)を作製し、該複数種類の緑色入射偏光板(32g)をそれぞれ液晶プロジェクタ装置に取り付けて、使用状態における偏光フィルム(32c)の温度を測定する実験を行なった。尚、偏光フィルム(32c)の大きさは２０.８ｍｍ×１６.３ｍｍ、室温は２７℃である。実験結果を下記表１及び図１１に示す。
【００２８】
【表１】
2007025402.tif 000003
【００２９】
図１１から、ガラス基材(32a)の偏光フィルム(32c)に対する面積比を１７８％以上に設置した場合には、偏光フィルム(32c)の温度が比較的低い温度で安定していることが分かる。一方、前記面積比を１５０％以下に設定した場合には、偏光フィルム(32c)の温度上昇が顕著であることが分かる。
更に、前記面積比を１５０％〜１７８％に設定した場合には、前記面積比に対する偏光フィルム(32c)の温度変化が不安定であることが分かる。これは、偏光フィルム(32c)からガラス基材(32a)への伝熱量とガラス基材(32a)からの放熱量とが略均衡しているため、前記伝熱量及び／又は放熱量が何らかの要因で多少変動することによって両者の大小関係が逆転し、これによって前記面積比に対する偏光フィルム(32c)の温度変化が不安定になるものと考えられる。
【００３０】
以上の実験結果について考察すると、前記面積比を１５０％以下に設定した場合には、ガラス基材(32a)からの放熱量が偏光フィルム(32c)からガラス基材(32a)への伝熱量よりも小さくなるため、偏光フィルム(32c)の温度上昇が顕著となるものと考えられる。
【００３１】
ここで、偏光フィルム(32c)の熱は、先ず、偏光フィルム(32c)が接合されたガラス基材(32a)の中央領域へ伝達され、該中央領域から周囲の外周領域へ徐々に伝達されることになる。しかしながら、ガラス基材(32a)は熱伝導率が低いため、偏光フィルム(32c)に発熱が生じたとしても、ガラス基材(32a)の中央領域から一定以上離れた外周領域の温度は、殆ど上昇しないこととなる。これによって、該外周領域からの放熱量は、僅かなものとなる。
従って、前記面積比を１７８％以上に設定した場合には、ガラス基材(32a)の表面積を拡大したとしても、放熱面積の拡大には繋がらないため、偏光フィルム(32c)の温度が略一定となるものと考えられる。
【００３２】
そこで、上記実験結果に基づき、ガラス基材(32a)の偏光フィルム(32c)に対する面積比を、偏光フィルム(32c)の温度が比較的低い温度に安定し、且つガラス基材(32a)の表面積が最小となる１７８％に設定することとした。尚、青色入射偏光板(32b)、緑色入射偏光板(32g)及び赤色入射偏光板(32r)の偏光フィルム(32c)の大きさは２０.８ｍｍ×１６.３ｍｍ、ガラス基材(32a)の大きさは２７.８ｍｍ×２１.８ｍｍに設定した。
これにより、冷却装置(５)の冷却ファンの回転数を低減させることが出来、この結果、冷却装置(５)から発生する騒音を低減させることが出来る。
【００３３】
光学系保持ケース(７)
図５に示す光学系(２)を構成する前段スリット板(23)、第２インテグレータレンズ(22)、後段スリット板(24)、偏光ビームスプリッタ(25)、フィールドレンズ(20)、第１及び第２ダイクロイックミラー(26)(27)及び３枚のフィールドミラー(28)(29a)(29b)は、図１２及び図１３に示す合成樹脂製の一体成型品からなる光学系保持ケース(７)内に設置される。光学系保持ケース(７)の右端部には、ランプユニット(４)が収容されると共に、光学系保持ケース(７)の前方の端部には空間(70)が形成されており、該空間(70)の内部に上述の映像合成装置(３)が設置されることになる。
【００３４】
光学系保持ケース(７)には、ランプユニット(４)から映像合成装置(３)へ至る光路に沿う両壁に、図５に示す前段スリット板(23)が設置されるべき第１設置溝(71)、第２インテグレータレンズ(22)が設置されるべき第２設置溝(72)、後段スリット板(24)及び偏光ビームスプリッタ(25)とが重ね合わされた状態で設置されるべき第３設置溝(73)、フィールドレンズ(20)が設置されるべき第４設置溝(74)、第１及び第２ダイクロイックミラー(26)(27)がそれぞれ設置されるべき第５及び第６設置溝(75)(76)、及び３枚のフィールドミラー(28)(29a)(29b)がそれぞれ設置されるべき第７乃至第９設置溝(77)(78a)(78b)が形成されている。
【００３５】
図１４及び図１５は、各設置溝(71)〜(78b)に、光学系(２)を構成する前段スリット板(23)、第２インテグレータレンズ(22)、後段スリット板(24)、偏光ビームスプリッタ(25)、フィールドレンズ(20)、第１及び第２ダイクロイックミラー(26)(27)及び３枚のフィールドミラー(28)(29a)(29b)が設置された状態を示している。
【００３６】
本発明の液晶プロジェクタ装置は、図５に示す３枚の液晶パネル(33r)(33g)(33b)として、対角線の長さが０.６インチの液晶パネルと０.７インチの液晶パネルとを互換性をもって使用することが可能となっている。
【００３７】
図５に示す第１インテグレータレンズ(21)と第２インテグレータレンズ(22)との間隔は、使用する液晶パネルのサイズに応じて変更する必要があるが、従来の液晶プロジェクタ装置においては、光学系保持ケースの両壁に光路に沿って互いに離間した２つの溝部を形成し、該２つの溝部によって、第１インテグレータレンズ(21)及び第２インテグレータレンズ(22)をそれぞれ保持していたため、サイズの異なる複数種類の液晶パネルを使用可能とするためには、前記２つの溝部の間隔が異なる複数種類の光学系保持ケースを用意する必要があり、設計時間及び製造コストの増大を招く結果となっていた。
【００３８】
これに対し、本発明の液晶プロジェクタ装置において、光学系保持ケース(７)には、第１インテグレータレンズ(21)を保持すべき２種類のレンズホルダ、即ち、図１８(ａ)に示す０.６インチ用レンズホルダ(８a)と、図１８(ｂ)に示す０.７インチ用レンズホルダ(８b)とを互換性をもって取り付けることが出来る様になっている。尚、０.６インチ用レンズホルダ(８a)と０.７インチ用レンズホルダ(８b)は、後述する位置決めピンの位置が異なること以外は同一の構成を有しているので、０.６インチ用レンズホルダ(８a)についてのみ説明し、０.７インチ用レンズホルダ(８b)についての説明は省略する。
【００３９】
図１６に示す如く、０.６インチ用レンズホルダ(８a)は、第１インテグレータレンズ(21)を保持する板金製の矩形状の枠体(82)と、該枠体(82)から光学系保持ケース(７)の上面及び下面に沿って伸びる一対の板金製の取り付け板(83a)(83b)とを具えている。一対の取り付け板(83a)(83b)にはそれぞれ、下方に向けて一対の位置決めピン(81)(81)が突設されている。
【００４０】
図１４及び図１５に示す如く、光学系保持ケース(７)の上壁には、前段スリット板(23)、第２インテグレータレンズ(22)、後段スリット板(24)、偏光ビームスプリッタ(25)及びフィールドレンズ(20)を挿入するための挿入口(180)が開設されている。
図１６に示す如く、光学系保持ケース(７)の上壁には、挿入口(180)を閉塞するための天板(179)が取り付けられている。天板(179)には、両レンズホルダ(８a)(８b)が挿入されるべき開口(171)と、両レンズホルダ(８a)(８b)を位置決めするための位置決め孔(78)(78)とが開設され、該天板(179)の位置決め孔(78)(78)には、両レンズホルダ(８a)(８b)の上側の取り付け板(83a)に突設された位置決めピン(81)(81)が嵌入されることになる。
同様に、光学系保持ケース(７)の底壁にも位置決め孔(78)(78)が開設されており、該位置決め孔(78)(78)には、下側の取り付け板(83b)に突設された位置決めピン(81)(81)が嵌入されることになる。
【００４１】
図１７に示す如く、両レンズホルダ(８a)(８b)はそれぞれ、上側の取り付け板(83a)に突設された位置決めピン(81)(81)が天板(179)の位置決め孔(78)(78)に嵌合した状態で、ネジ(182)(182)により天板(179)に締結される。この状態で、両レンズホルダ(８a)(８b)の下側の取り付け板(83b)に突設された位置決めピン(81)(81)を光学系保持ケース(７)の底壁の位置決め孔(78)(78)に嵌入せしめ、その後、天板(179)をネジ(181)(181)により光学系保持ケース(７)の上壁に締結することにより、第１インテグレータレンズ(21)が光路上の所定位置に取り付けられることになる。
【００４２】
図１８(ｂ)に示す０.７インチ用ホルダ(８b)の各位置決めピン(81)(81)は、図１８(ａ)に示す０.６インチ用ホルダ(８a)の各位置決めピン(81)(81)よりも枠体(82)から離間した位置に突設されており、これによって、図１８(ｂ)に示す０.６インチ用ホルダ(８b)の両位置決めピン(81)(81)と枠体(82)に取り付けられた第１インテグレータレンズ(21)の表面との間隔Ｓ３及びＳ４は、図１８(ａ)に示す０.６インチ用ホルダ(８a)の両位置決めピン(81)(81)と枠体(82)に取り付けられた第１インテグレータレンズ(21)の表面との間隔Ｓ１及びＳ２よりも大きくなっている。この結果、０.７インチ用ホルダ(８ｂ)の取り付け時の第１インテグレータレンズ(21)と第２インテグレータレンズ(22)との間隔ｄ２は、０.６インチ用ホルダ(８ａ)の取り付け時の間隔ｄ１よりも広くなる。
【００４３】
上記間隔ｄ１は、０.６インチの液晶パネルに適した間隔に設定されると共に、上記間隔ｄ２は、０.７インチの液晶パネルに適した間隔に設定されている。
従って、本発明の液晶プロジェクタ装置によれば、第１インテグレータレンズ(21)を保持するレンズホルダを液晶パネルのサイズに応じて交換するだけで、サイズの異なる複数種類の液晶パネルの使用が可能となる。この結果、複数種類の光学系保持ケースを用意する必要がなくなり、従来に比べて、設計時間の短縮並びに製造コストの削減を図ることが出来る。
【００４４】
冷却ユニット(５)
図４、図８及び図９に示す如く、映像合成装置(３)の下方には、該映像合成装置(３)を冷却するための冷却ユニット(５)が載置されている。
従来の液晶プロジェクタ装置において、冷却ユニットは、映像合成装置を構成する赤色、緑色及び青色の液晶パネルに対して専用の冷却ファンを配備し、３台の冷却ファンにより３枚の液晶パネルを冷却していた。
【００４５】
ところで、図５に示す如く、ランプユニット(４)から３枚の液晶パネル(33b)(33g)(33r)へ至る光路長は、青色用液晶パネル(33b)へ至る青色用光路と、緑色用液晶パネル(33g)へ至る緑色用光路とが同じ長さで、赤色用液晶パネル(33r)へ至る赤色用光路のみが長くなっている。３枚の液晶パネル(33b)(33g)(33r)が受ける光の強度は、その光路長が長くなれば長くなるほど低下するため、赤色用液晶パネル(33r)が受ける光の強度が最も小さくなる。
ここで、３枚の液晶パネル(33b)(33g)(33r)の発熱量は、各液晶パネル(33b)(33g)(33r)が受ける光の強度に応じて変動するため、青色用液晶パネル(33b)の発熱量が最も大きく、赤色用液晶パネル(33r)の発熱量が最も小さくなる。
【００４６】
そこで、本発明の液晶プロジェクタ装置においては、光路長の差によって生じる３枚の液晶パネル(33b)(33g)(33r)の発熱量の差に着目し、従来、赤色、緑色及び青色の液晶パネルに対してそれぞれ配備されていた３台の冷却ファンの内、発熱量の最も小さな赤色用液晶パネル(33r)専用の冷却ファンを省略し、２台の冷却ファンにより冷却ユニット(５)を構成した。
【００４７】
図１９に示す如く、冷却ユニット(５)は、第１ファン(52)と、第２ファン(53)と、略Ｔ字状のハウジング(54)とから構成される。ハウジング(54)の内部には、両冷却ファン(52)(53)から取り込まれた外気を図９に示す３枚の液晶パネル(33b)(33g)(33r)及び図５に示す３枚の入射側遮光板(32b)(32g)(32r)へ導くための流路が形成されている。又、第１ファン(52)と第２ファン(53)は、その空気吹き出し方向が互いに交叉する姿勢で設置されている。
【００４８】
図２０及び２１に示す如く、ハウジング(54)は、上ハウジング半体(54a)と下ハウジング半体(54b)とを互いに接合して構成され、該ハウジング(54)には、第１ファン(52)が連結される第１取り付け口(57)と、第２ファン(53)が連結される第２取り付け口(58)とが、互いに９０度の異なる方向に向けて開設されている。
上ハウジング半体(54a)の上壁には、第１取り付け口(57)に隣接した位置に、図５に示す青色入射側遮光板(32b)に向けて空気を吹き付けるための青色用第１吹き出し口(55b)と、青色用液晶パネル(33b)に向けて空気を吹き付けるための青色用第２吹き出し口(56b)とが開設されている。又、第２取り付け口(58)に隣接した位置に、図５に示す緑色入射側遮光板(32g)に向けて空気を吹き付けるための緑色用第１吹き出し口(55g)と、緑色用液晶パネル(33g)に向けて空気を吹き付けるための緑色用第２吹き出し口(56g)とが開設されている。
【００４９】
更に、上ハウジング半体(54a)の上壁には、第１取り付け口(57)から導入される空気の流路に沿って第１取り付け口(57)から離間した位置に、図５に示す赤色入射側遮光板(32r)に向けて空気を吹き付けるための赤色用第１吹き出し口(55r)と、赤色用液晶パネル(33r)に向けて空気を吹き付けるための赤色用第２吹き出し口(56r)とが開設されている。
【００５０】
一方、図２１及び図２２に示す如く、下ハウジング半体(54b)には、第１取り付け口(57)から直線状に伸びて青色用第１吹き出し口(55b)及び青色用第２吹き出し口(56b)へ至る第１の上流側流路部(151)と、第２取り付け口(58)から直線状に伸びて緑色用第１吹き出し口(55g)及び緑色用第２吹き出し口(56g)へ至る第２の上流側流路部(152)と、第１及び第２の上流側流路部(151)(152)を通過した空気が合流して赤色用第１吹き出し口(55r)及び赤色用第２吹き出し口(56r)へ至る下流側流路部(153)とが形成されている。
又、第１の上流側流路部(151)と下流側流路部(153)の間には、第１絞り部(59a)が形成されると共に、第２の上流側流路部(152)と下流側流路部(153)の間には、第２絞り部(59b)が形成されている。
【００５１】
従って、第１ファン(52)からハウジング(54)の第１取り付け口(57)へ導入され、第１の上流側流路部(151)を通過して下流側流路部(153)へ流れる空気の量は、第１絞り部(59a)に生じる流路抵抗によって一定量に制限されるため、第１取り付け口(57)から導入された空気の内、一部の空気は、第１絞り部(59a)よりも上流側に開設された青色用第１吹き出し口(55b)及び青色用第２吹き出し口(56b)から吹き出されることになる。これによって、青色入射側遮光板(32b)及び青色用液晶パネル(33b)を十分に冷却することが出来る。
【００５２】
同様に、第２ファン(53)からハウジング(54)の第２取り付け口(58)へ導入され、第２の上流側流路部(152)を通過して下流側流路部(153)へ流れる空気の量は、該第２絞り部(59b)に生じる流路抵抗によって一定量に制限されるため、第２取り付け口(58)から導入された空気の内、一部の空気は、第２絞り部(59b)よりも上流側に開設された緑色用第１吹き出し口(55g)及び緑色用第２吹き出し口(56g)から吹き出されることになる。これによって、緑色入射側遮光板(32g)及び緑色用液晶パネル(33g)を十分に冷却することが出来る。
【００５３】
又、第１絞り部(59a)を通過した一定量の空気は、下流側流路部(153)を経て赤色用第１吹き出し口(55r)及び赤色用第２吹き出し口(56r)へ向けて直線的に流れることとなる。更に、第２絞り部(59b)を通過した一定量の空気は、下流側流路部(153)を経て、赤色用第１吹き出し口(55r)及び赤色用第２吹き出し口(56r)へ向かう空気の流れに合流することになる。この結果、第１取り付け口(57)から導入されて第１絞り部(59a)を通過した一定量の空気と、第２取り付け口(58)から導入されて第２絞り部(59b)を通過した一定量の空気とが、下流側流路部(153)を経て、赤色用第１吹き出し口(55r)及び赤色用第２吹き出し口(56r)から吹き出されることとなり、これによって、赤色入射側遮光板(32r)及び赤色用液晶パネル(33r)を十分に冷却することが出来る。
【００５４】
従来の液晶プロジェクタ装置において、冷却ユニットは、赤色、緑色及び青色の液晶パネルに対してそれぞれ専用に配備された３台の冷却ファンから構成されていたが、上記本発明の液晶プロジェクタ装置によれば、２台の冷却ファン(52)(53)を用いて、３色分の入射側遮光板(32r)(32g)(32g)及び液晶パネル(33r)(33g)(33b)を十分に冷却することが出来る。これにより、省略された１台の冷却ファンの設置スペース分だけ、装置の小型化を図ることが出来ると共に、該冷却ファンの消費電力分だけ、動作時の総消費電力の低減を図ることが出来る。
【００５５】
ランプユニット(４)
図２に示す如く、ランプユニット(４)は、光学系保持ケース(７)の右端部に収容されており、図２３に示す如く、該光学系保持ケース(７)の右端部の後壁(174)には、吸気用ハウジング(45)が取り付けられ、該吸気用ハウジング(45)の端部には、ランプユニット(４)を冷却するためのランプ冷却ファン(42)が取り付けられている。
【００５６】
図２４及び図２５に示す如く、ランプユニット(４)は、リフレクタ(46)と、該リフレクタ(46)の焦点位置に設けられたランプ(41)と、ランプ(41)の光出射方向に沿って前方に配備されたレンズ(47)と、矩形状の枠体からなるランプハウジング(140)とを具え、該ランプハウジング(140)の開口部にリフレクタ(46)及びレンズ(47)を取り付けて構成される。リフレクタ(46)の背面は、光学系保持ケース(７)の４つの側壁(174)(176)(177)(178)によって包囲されている。
【００５７】
図２４に示す如く、ランプユニット(４)は、ランプハウジング(140)の両側壁(140a)(140b)と光学系保持ケース(７)の両側壁(174)(176)とが互いに接した状態で、光学系保持ケース(７)の右端部内に収容されており、ランプハウジング(140)の後方側の側壁(140a)には、空気導入孔(141)が開設されている。又、リフレクタ(46)の後方側の側部(46a)には、空気導入孔(141)に対応する位置に開口(49a)が開設され、該開口(49)に金属製のメッシュフィルタ(48a)が設置されている。
【００５８】
一方、ランプハウジング(140)の前方側の側壁(140b)には、空気導入孔(141)と対向する位置に空気排出孔(142)が開設されている。又、リフレクタ(46)の前方側の側部(46b)には、空気排出孔(142)に対応する位置に開口(49b)が開設され、該開口(49)に金属製のメッシュフィルタ(48b)が設置されている。
【００５９】
図２３に示す如く、光学系保持ケース(７)の右端部の後壁(174)には、ランプ冷却ファン(42)からの空気を光学系保持ケース(７)内に取り込むための第１取り込み孔(43)、第２取り込み孔(44a)及び第３取り込み孔(44b)が開設されている。第１取り込み孔(43)は、上下方向(幅方向)に長い矩形状の開口形状を有し、第２取り込み孔(44a)及び第３取り込み孔(44b)は、第１取り込み孔(43)の略３分の１の幅を有する矩形状に形成され、両取り込み孔(44a)(44b)の間には、光学系保持ケース(７)の後壁(174)の一部によって、第１取り込み孔(43)の略３分の１の幅を有する遮風壁(44c)が形成されている。
図２４に示す如く、第１取り込み孔(43)は、ランプハウジング(140)の空気導入孔(141)及びリフレクタ(46)の開口(49a)に向けて開口し、第２取り込み孔(44a)及び第３取り込み孔(44b)は、リフレクタ(46)の背面に向けて開口している。
【００６０】
図２３に示す如く、光学系保持ケース(７)の右端部の右側壁(175)には、排気孔(170)が開設され、図２に示す如く、排気装置(６)を構成する第１排気ファン(61)が、該排気孔(170)に面して設置されている。該排気孔(170)は、排気装置(６)が取り付けられた下ケース半体(12)の右壁面に対して傾斜して形成されている。
図２に示す如く、下ケース半体(12)の後壁には、スリット状の背面吸気孔(19)が開設されており、該背面吸気孔(19)に面して図２３に示すランプ冷却ファン(42)が設置されている。
【００６１】
図２４に示す如く、ランプ冷却ファン(42)によってケーシング(１)の背面吸気孔(19)から取り込まれた空気は、吸気用ハウジング(45)内の流路を経て、第１取り込み孔(43)、第２取り込み孔(44a)及び第３取り込み孔(44b)からランプユニット(４)へ向けて導入される。
第１取り込み孔(43)を通過した空気は、ランプハウジング(140)の空気導入孔(141)及びリフレクタ(46)のメッシュフィルタ(48a)を経て、リフレクタ(46)の内側に導入され、反対側のメッシュフィルタ(48b)及び空気排出孔(142)を経て、排気スリット(173)から光学系保持ケース(７)の外部へ排出される。排出された高温の空気は、第１排気ファン(61)によって吸い込まれ、ケーシング(１)の排気孔(14)からケーシング(１)の外部に排出されることになる。
【００６２】
一方、図２３に示す如く、第２取り込み孔(44a)と第３取り込み孔(44b)の間には遮風壁(44c)が設けられているので、第２取り込み孔(44a)を通過した空気は、リフレクタ(46)の上部に沿って流れ、第３取り込み孔(44b)を通過した空気は、リフレクタ(46)の下部に沿って流れることになる。
そして、リフレクタ(46)の上部及び下部に沿って流れる空気は、第１排気ファン(61)によって吸い込まれ、ケーシング(１)の排気孔(14)からケーシング(１)の外部に排出されることになる。
【００６３】
従来の液晶プロジェクタ装置においては、図２３に示す遮風壁(44c)が無く、第２取り込み孔(44a)と第３取り込み孔(44b)とが連通した１つの大きな送風口から空気を送り込むことにより、ランプユニット(４)を冷却していたが、十分な風量を与えているにも拘わらず、ランプユニット(４)から発せられる熱によって、図２５に示す光学系保持ケース(７)の上壁(177)及び上壁(178)が変質して劣化する問題があった。
【００６４】
この原因を分析したところ、１つの送風口から送り込まれた空気の大部分は、リフレクタ(46)の上下方向の中央部を該リフレクタ(46)の背面に沿って流れてしまうため、該中央部においてはある程度の冷却効果が得られるものの、光学系保持ケース(７)の上壁(177)及び上壁(178)に近接するリフレクタ(４)の上部及び下部領域においては、充分な冷却効果が得られないことが分かった。
【００６５】
そこで、本発明の液晶プロジェクタ装置においては、ランプ冷却ファン(42)から吐出された空気をリフレクタ(46)の上部及び下部領域に向けて強制的に分流させることにより、上記問題を解決した。これにより、リフレクタ(46)の上部及び下部領域を充分に冷却することが出来、この結果、光学系保持ケース(７)の上壁(177)及び上壁(178)の温度が、従来の液晶プロジェクタ装置に比べて低下するので、光学系保持ケース(７)の変質による劣化を防止することが出来る。
【００６６】
排気装置(６)
図２及び図３に示す如く、下半ケース(12)の右側壁には、第１排気ファン(61)及び第２排気ファン(62)からなる排気装置(６)が取り付けられている。第１排気ファン(61)は、その吸気方向をランプユニット(４)に向けて設置されると共に、第２排気ファン(62)は、その吸気方向を電源装置(９)に向けて設置され、両排気ファン(61)(62)の排気方向が互いに交叉している。
【００６７】
図２６及び図２７に示す如く、排気装置(６)は、合成樹脂製のファンホルダ(63)と金属製のファンカバー(61)との間に、第１排気ファン(61)及び第２排気ファン(62)を挟持して構成される。ファンカバー(64)の上面及び下面には、ファンホルダ(63)の上壁及び下壁に開設された溝部(65)に係合するフック部(66)が突設されており、ファンカバー(64)は、フック部(66)がファンホルダ(63)の溝部(65)に係合した状態で、両側部にてネジ止めされている。
【００６８】
従来の液晶プロジェクタ装置において、排気装置はランプユニット(４)に向けて設置された１台の排気ファンから構成されていた。このため、排気装置からはランプユニット(４)の周囲の高温の空気が排出されることとなり、該排気に触れたユーザが不快感を感じることがあった。
【００６９】
本発明の液晶プロジェクタ装置において、排気装置(６)を構成する第１排気ファン(61)は、図２に示す如くランプユニット(４)に向けて設置されているため、該第１排気ファン(61)には、ランプユニット(４)から発せられる高温の空気が取り込まれることになる。一方、第２排気ファン(62)は、ランプユニット(４)から外れた領域に設置された電源装置(９)に向けて設置されているため、該第２排気ファン(62)には、前記第１排気ファン(61)に取り込まれる空気よりも低温の空気が取り込まれることになる。
ここで、両排気ファン(61)(62)の排気方向が互いに交叉しているので、第１排気ファン(61)から取り込まれた空気と第２排気ファン(62)から取り込まれた空気とが混合されて、排気孔(14)から排出されることとなり、この結果、従来のプロジェクタ装置に比べて排気温度が低下する。
【００７０】
ところで、両排気ファン(61)(62)を設置するためにケーシング(１)の内部に必要となるスペースは、第１排気ファン(61)の排気方向と第２排気ファン(62)の排気方向との交差角度の増大に伴って拡大する。そこで、排気温度の低下効果が最大となる第１排気ファン(61)の排気方向と第２排気ファン(62)の排気方向の交差角度を求めるべく、該交差角度をパラメータとして排気温度の変化を測定する実験を行なったところ、該交差角度が４０度〜６０度の範囲にあるとき、排気温度の低下効果が最大となることを見出した。
【００７１】
即ち、前記交差角度が４０度よりも小さい場合には、両排気ファン(61)(62)から取り込まれた空気が十分に混合されることなく排出されることとなり、この結果、排気装置(６)の第１排気ファン側(61)からは高温の空気が排出され、第２排気ファン(62)側からは低温の空気が排出されることになる。
【００７２】
これに対し、前記交差角度が４０度〜６０度にある場合には、第１排気ファン(61)から取り込まれた高温の空気と第２排気ファン(62)から取り込まれた低温の空気とが充分に混合されることとなり、この結果、排気温度が低下する。
【００７３】
しかし、前記交差角度が６０度よりも大きい場合には、交差角度が４０度〜６０度にある場合に比べて、交差角度の増大に対する排気温度の低下度が小さくなる。そして、交差角度が９０度に近づくと、第１排気ファン(61)から取り込まれた高温の空気と、第２排気ファン(62)から取り込まれた低温の空気とが互いに衝突することとなり、これによって、後方へ向かう空気のスムーズな流れが阻害され、十分な排気効果が得られない。
【００７４】
そこで、本実施例では、第１排気ファン(61)の排気方向と第２排気ファン(62)の排気方向の交差角度を４０度に設定することとした。尚、第１排気ファン(61)と第２排気ファン(62)はそれぞれ、ケーシング(１)の右壁面に対して、２０度の傾斜角度をもって取り付けられている。これにより、排気装置の設置スペースの増大に伴う装置の大型化を最小限に抑えつつ、排気温度の低下を図ることが出来る。
本実施例の排気装置(６)の排気温度並びに騒音を実測したところ、従来に比べて両排気ファン(61)(62)の回転数を落とした場合にも、排気温度が約１０℃低下し、排気装置(６)から発生する騒音を約２ｄＢ低減出来ることが明らかとなった。
【００７５】
更に、本発明の液晶プロジェクタ装置は、ランプユニット(４)が発する光の強度を低下させて消費電力の低減を図る低消費電力モードを有しており、該低消費電力モードの設定時には、前記第１及び第２排気ファン(61)(62)の回転数を低下させることにより、排気装置(６)から発生する騒音の更なる低減を図ることが出来る。
【図面の簡単な説明】
【００７６】
【図１】本発明に係る液晶プロジェクタ装置の斜視図である。
【図２】該液晶プロジェクタ装置の上半ケースを取り外した状態を示す斜視図である。
【図３】該液晶プロジェクタ装置の上半ケースを取り外した状態を示す分解斜視図である。
【図４】該液晶プロジェクタ装置の分解斜視図である。
【図５】該液晶プロジェクタ装置の光学系を示す図である。
【図６】後段スリット板及び偏光ビームスプリッタの断面図である。
【図７】前段スリット板、第２インテグレータレンズ、後段スリット板及び偏光ビームスプリッタを示す斜視図である。
【図８】光学系保持ケース、光合成装置及び冷却ユニットの分解斜視図である。
【図９】光合成装置及び冷却ユニットの分解斜視図である。
【図１０】入射側偏光板を示す正面図である。
【図１１】ガラスの偏光板に対する面積比と偏光板温度との関係を表わすグラフである。
【図１２】光学系保持ケースの斜視図である。
【図１３】光学系保持ケースの平面図である。
【図１４】光学部品を設置した光学系保持ケースから第１及び後段スリット板を取り外した状態を示す分解斜視図である。
【図１５】光学部品を設置した光学系保持ケースを示す斜視図である。
【図１６】光学系保持ケース及び第１インテグレータレンズホルダを示す分解斜視図である。
【図１７】光学系保持ケースに第１インテグレータレンズホルダを取り付ける方法を説明するための分解斜視図である。
【図１８】光学系保持ケースに０.６インチ用レンズホルダを取り付けた状態と、０.７インチ用レンズホルダを取り付けた状態を示す断面図である。
【図１９】冷却ユニットの平面図である。
【図２０】冷却ユニットのハウジングの斜視図である。
【図２１】該ハウジングの分解斜視図である。
【図２２】該ハウジングを構成する下ハウジング半体の平面図である。
【図２３】光学系保持ケースに対するランプ冷却ファンの取り付け状態を示す分解斜視図である。
【図２４】ランプユニットの水平方向の断面図である。
【図２５】ランプユニットの鉛直方向の断面図である。
【図２６】排気装置の斜視図である。
【図２７】排気装置からファンカバーを取り外した状態を示す斜視図である。
【符号の説明】
【００７７】
(１)  ケーシング
(14)  排気孔
(19)  背面吸気孔
(２)  光学系
(21)  第１インテグレータレンズ
(22)  第２インテグレータレンズ
(23)  前段スリット板
(24)  後段スリット板
(25)  偏光ビームスプリッタ
(３)  映像合成装置
(31)  色合成プリズム
(32b)、(32g)、(32r)  青色入射偏光板、緑色入射偏光板、赤色入射偏光板
(33b)、(33g)、(33r)  青色用液晶パネル、緑色用液晶パネル、赤色用液晶パネル
(39)  投射レンズ
(４)  ランプユニット
(41)  ランプ
(42)  ランプ冷却ファン
(43)  第１取り込み孔
(44a)、(44b)  第２取り込み孔、第３取り込み孔
(44c)  遮風壁
(45)  吸気用ハウジング
(５)  冷却ユニット
(52)  第１ファン
(53)  第２ファン
(54)  ハウジング
(55b)、(55g)、(55r)  青色用第１吹き出し口、緑色用第１吹き出し口、赤色用第１吹き出し口
(56b)、(56g)、(56r)  青色用第２吹き出し口、緑色用第２吹き出し口、赤色用第２吹き出し口
(59a)、(59b)  第１絞り部、第２絞り部
(151)  第１の上流側流路部
(152)  第２の上流側流路部
(153)  下流側流路部
(６)  排気装置
(61)  第１排気ファン
(62)  第２排気ファン
(７)  光学系保持ケース
(78)  位置決め孔
(８ａ)  ０.６インチ用ホルダ
(８ｂ)  ０.７インチ用ホルダ
(81)  位置決めピン
(９)  電源装置
【図１】
2007025402.tif 000004
【図２】
2007025402.tif 000005
【図３】
2007025402.tif 000006
【図４】
2007025402.tif 000007
【図５】
2007025402.tif 000008
【図６】
2007025402.tif 000009
【図７】
2007025402.tif 000010
【図８】
2007025402.tif 000011
【図９】
2007025402.tif 000012
【図１０】
2007025402.tif 000013
【図１１】
2007025402.tif 000014
【図１２】
2007025402.tif 000015
【図１３】
2007025402.tif 000016
【図１４】
2007025402.tif 000017
【図１５】
2007025402.tif 000018
【図１６】
2007025402.tif 000019
【図１７】
2007025402.tif 000020
【図１８】
2007025402.tif 000021
【図１９】
2007025402.tif 000022
【図２０】
2007025402.tif 000023
【図２１】
2007025402.tif 000024
【図２２】
2007025402.tif 000025
【図２３】
2007025402.tif 000026
【図２４】
2007025402.tif 000027
【図２５】
2007025402.tif 000028
【図２６】
2007025402.tif 000029
【図２７】
2007025402.tif 000030